(57)【要約】　　　（修正有）【課題】目視によって良否（良品と不良品）の判別が可能であると共に、その判別の容易な高周波電子ユニットを提供する。【解決手段】本考案の高周波電子ユニットは、一面に電子部品が搭載された回路基板２と、この回路基板２の一面に環状に形成された接地ランド部３と、下端部が接地ランド部３に半田付けされた箱形のカバー１とを備え、接地ランド部３上には、半田が付着しない１個、或いは複数個の絶縁膜６が設けられ、カバー１の下縁１ｃが絶縁膜６上に位置した状態で、カバー１の下端部が接地ランド部３に半田付けされたため、絶縁膜６上に位置する下縁１ｃは、半田が付着せず、露出した状態となっており、これによって、回路基板２からのカバー１の浮き上がり状態が側面板側から目視でき、目視によって良否（良品と不良品）の判別が可能となる。【選択図】　　　　図１
0003097301.tif 000002
【実用新案登録請求の範囲】
【請求項１】
一面に電子部品が搭載された回路基板と、この回路基板の一面に環状に形成された接地ランド部と、前記電子部品を覆った状態で、下端部が前記接地ランド部に半田付けされた箱形のカバーとを備え、前記接地ランド部上には、半田が付着しない１個、或いは複数個の絶縁膜が設けられ、前記カバーの下縁が前記絶縁膜上に位置した状態で、前記カバーの前記下端部が前記接地ランド部に半田付けされたことを特徴とする高周波電子ユニット。
【請求項２】
前記絶縁膜が半田レジスト膜で形成されたことを特徴とする請求項１記載の高周波電子ユニット。
【請求項３】
前記絶縁膜は、前記接地ランド部の幅部を横切って設けられたことを特徴とする請求項１、又は２記載の高周波電子ユニット。
【請求項４】
前記カバーは、四角形状の上面板と、この上面板の四辺から下方に折り曲がった側面板とで構成され、前記側面板の前記下縁が前記絶縁膜上に位置した状態で、前記側面板の前記下端部が前記接地ランド部に半田付けされたことを特徴とする請求項１から３の何れかに記載の高周波電子ユニット。
【請求項５】
前記側面板には、前記回路基板の孔に挿入される脚部が設けられ、前記脚部の近傍に位置する前記下縁が前記絶縁膜上に位置したことを特徴とする請求項４記載の高周波電子ユニット。
【請求項６】
前記脚部の根本に位置する前記側面板には、切り欠き部が設けられ、前記切り欠き部と隣接する前記下縁が前記絶縁膜上に位置したことを特徴とする請求項５記載の高周波電子ユニット。
【請求項７】
少なくとも１個の前記絶縁膜が互いに対向する前記側面板側、或いは四つの前記側面板側のそれぞれに位置して設けられたことを特徴とする請求項４から６の何れかに記載の高周波電子ユニット。
【請求項８】
前記接地ランド部の幅部は、高周波回路の周波数の１／１６波長以下の幅寸法で形成されたことを特徴とする請求項１から７の何れかに記載の高周波電子ユニット。
【考案の詳細な説明】
【０００１】
【考案の属する技術分野】
本考案は自動料金徴収システム（ＥＴＣ）、携帯電話機の送受信ユニットやテレビチューナ等に使用して好適な高周波電子ユニットに関する。
【０００２】
【従来の技術】
従来の高周波電子ユニットの図面を説明すると、図３は従来の高周波電子ユニットの正面図、図４は従来の高周波電子ユニットの分解斜視図で、次に、従来の高周波電子ユニットの構成を図３，図４に基づいて説明すると、金属板からなる箱形のカバー５１は、四角形状の上面板５１ａと、この上面板５１ａの四辺から下方に折り曲げられた四つの側面板５１ｂを有する。
【０００３】
プリント基板からなる四角形状の回路基板５２は、複数個の孔５２ａと、一面側の側部に沿って環状に設けられた接地ランド部５３を有すると共に、一面側に搭載された電子部品（図示せず）によって、所望の高周波の電子回路が形成されている。
【０００４】
そして、カバー５１は、電子部品を覆った状態で、側面板５１ｂの下縁５１ｃが接地ランド部５３上に載置され、側面板５１ｂの下端部の全周が接地ランド部５３に半田５４付けされている。
【０００５】
また、回路基板５２の他面側には、シールド部材５５と、このシールド部材５５を覆うように筺体５６が配置され、このシールド部材５５と筺体５６がネジ５７によって回路基板５２に取り付けられている。（例えば、特許文献１参照）
【０００６】
このような従来の高周波電子ユニットは、側面板１ｂの下縁５１ｃを含む下端部の全周が接地ランド部５３に半田５４付けされているため、側面板５１ｂの下縁５１ｃの全周が半田５４で覆われて、側面板１ｂの下縁１ｃが側方から目視できない。
【０００７】
このため、側面板１ｂは、半田５４付け作業時の環境等によって、所定の位置に半田付けできず、回路基板５２から上方に浮いたものが往々にして生産されるが、目視によって良否（良品と不良品）の判別ができない。
【０００８】
【特許文献１】
特開平８−２２２８７７号公報
【０００９】
【考案が解決しようとする課題】
従来の高周波電子ユニットは、側面板１ｂの下縁５１ｃを含む下端部の全周が接地ランド部５３に半田５４付けされているため、側面板５１ｂの下縁５１ｃの全周が半田５４で覆われて、側面板１ｂの下縁１ｃが側方から目視できず、このため、目視によって良否（良品と不良品）の判別ができないという問題がある。
【００１０】
そこで、本考案は目視によって良否（良品と不良品）の判別が可能であると共に、その判別の容易な高周波電子ユニットを提供することを目的とする。
【００１１】
【課題を解決するための手段】
上記課題を解決するための第１の解決手段として、一面に電子部品が搭載された回路基板と、この回路基板の一面に環状に形成された接地ランド部と、前記電子部品を覆った状態で、下端部が前記接地ランド部に半田付けされた箱形のカバーとを備え、前記接地ランド部上には、半田が付着しない１個、或いは複数個の絶縁膜が設けられ、前記カバーの下縁が前記絶縁膜上に位置した状態で、前記カバーの前記下端部が前記接地ランド部に半田付けされた構成とした。
【００１２】
また、第２の解決手段として、前記絶縁膜が半田レジスト膜で形成された構成とした。
また、第３の解決手段として、前記絶縁膜は、前記接地ランド部の幅部を横切って設けられた構成とした。
【００１３】
また、第４の解決手段として、前記カバーは、四角形状の上面板と、この上面板の四辺から下方に折り曲がった側面板とで構成され、前記側面板の前記下縁が前記絶縁膜上に位置した状態で、前記側面板の前記下端部が前記接地ランド部に半田付けされた構成とした。
【００１４】
また、第５の解決手段として、前記側面板には、前記回路基板の孔に挿入される脚部が設けられ、前記脚部の近傍に位置する前記下縁が前記絶縁膜上に位置した構成とした。
また、第６の解決手段として、前記脚部の根本に位置する前記側面板には、切り欠き部が設けられ、前記切り欠き部と隣接する前記下縁が前記絶縁膜上に位置した構成とした。
【００１５】
また、第７の解決手段として、少なくとも１個の前記絶縁膜が互いに対向する前記側面板側、或いは四つの前記側面板側のそれぞれに位置して設けられた構成とした。
また、第８の解決手段として、前記接地ランド部の幅部は、高周波回路の周波数の１／１６波長以下の幅寸法で形成された構成とした。
【００１６】
【考案の実施の形態】
本考案の高周波電子ユニットの図面を説明すると、図１は本考案の高周波電子ユニットの正面図、図２は本考案の高周波電子ユニットの分解斜視図である。
【００１７】
次に、本考案の高周波電子ユニットの構成を図１，図２に基づいて説明すると、金属板からなる箱形のカバー１は、四角形状の上面板１ａと、この上面板１ａの四辺から下方に折り曲げられた四つの側面板１ｂと、この側面板１ｂの下縁１ｃから下方に延びた複数個の脚部１ｄと、脚部１ｄの根本の両側に位置する側面板１ｂに設けられた切り欠き部１ｅを有する。
【００１８】
なお、脚部１ｄは、互いに対向する側面板１ｂに設けても良く、また、脚部１ｄは、必要に応じて無くしても良い。
【００１９】
プリント基板からなる四角形状の回路基板２は、脚部１ｄに対応して設けられた複数個の孔２ａと、一面側に設けられた四角形状の環状（リング状）からなる接地ランド部３を有すると共に、種々の電子部品４が一面側に形成された配線パターン５に搭載されて、所望の高周波の電子回路が形成されている。
【００２０】
また、帯状の絶縁膜６は、半田が付着しない半田レジスト膜等からなり、この絶縁膜６は、孔２ａの近傍の接地ランド部３上において、接地ランド部３の幅部Ａを横切った状態で、回路基板２の一面側に形成されている。
そして、絶縁膜６を半田レジスト膜で形成すると、配線パターン５上への半田レジスト膜の形成と同時に、接地ランド部３上に絶縁膜６を形成できて、生産性が良くなる。
【００２１】
この実施例における絶縁膜６は、接地ランド部３の四角形状のそれぞれの辺、即ち、四角形状の回路基板２のそれぞれの辺に対応して設けられているが、絶縁膜６は、回路基板２の対向する辺、或いは、回路基板２の一つの辺に設けても良く、また、絶縁膜６は、１個、或いは複数個設けても良い。
【００２２】
そして、カバー１は、電子部品４を覆うと共に、脚部１ｄを孔２ａに挿通した状態で、側面板１ｂの下縁１ｃが接地ランド部３上に載置され、脚部１ｄを含む側面板１ｂの下端部のほぼ全周が接地ランド部３に半田７付けされる。
【００２３】
この時、絶縁膜６上に位置する下縁１ｃは、半田７が付着せず、露出した状態となっており、これによって、回路基板２からのカバー１の浮き上がり状態が側面板１ｂ側から目視でき、目視によって良否（良品と不良品）の判別が可能となる。
【００２４】
また、カバー１が取り付けられた時、切り欠き部１ｅに隣接する下縁１ｃが絶縁膜６上に位置した状態となっており、その結果、切り欠き部１ｅによって下縁１ｃの端部が目視でき、下縁１ｃの状態が一層目視でき易くなる。
【００２５】
なお、切り欠き部１ｅを無くして、脚部１ｄの近傍に位置する下縁１ｃが絶縁膜６上に位置するようにしても良く、この場合、目視による検査時、目視によって検査する位置が明確となって、検査作業がやり易くなる。
また、脚部１ｄの近傍以外の箇所の下縁１ｃが絶縁膜６上に位置するようにしても良い。
【００２６】
このような構成によって、自動料金徴収システム（ＥＴＣ）等に使用される本考案の高周波電子ユニットが形成され、例えば、自動料金徴収システム（ＥＴＣ）における高周波電子ユニットの高周波回路では、周波数が５．８ＧＨｚとなっている。
【００２７】
そして、絶縁膜６の幅部Ｂの幅寸法によっては高周波の漏れが生じ、この高周波の漏れによって、外部への影響が生じることが判明し、そこで、種々の実験をした結果、絶縁膜６の幅部Ｂの幅寸法は、高周波回路の周波数の１／１６波長以下にすると、高周波の漏れによる外部への影響が極めて少ないことが判明した。
【００２８】
例えば、自動料金徴収システム（ＥＴＣ）における高周波電子ユニットの高周波回路では、絶縁膜６の幅部Ｂの幅寸法が３ｍｍ以下にすると、高周波の漏れによる外部への影響が極めて少ないという実験結果が得られた。
【００２９】
【考案の効果】
本考案の高周波電子ユニットは、一面に電子部品が搭載された回路基板と、この回路基板の一面に環状に形成された接地ランド部と、電子部品を覆った状態で、下端部が接地ランド部に半田付けされた箱形のカバーとを備え、接地ランド部上には、半田が付着しない１個、或いは複数個の絶縁膜が設けられ、カバーの下縁が絶縁膜上に位置した状態で、カバーの下端部が接地ランド部に半田付けされたため、絶縁膜上に位置する下縁は、半田が付着せず、露出した状態となっており、これによって、回路基板からのカバーの浮き上がり状態が側面板側から目視でき、目視によって良否（良品と不良品）の判別が可能となる。
【００３０】
また、絶縁膜が半田レジスト膜で形成されたため、配線パターン上への半田レジスト膜の形成と同時に、接地ランド部上に絶縁膜を形成できて、生産性の良好なものが得られる。
【００３１】
また、絶縁膜は、接地ランド部の幅部を横切って設けられたため、接地ランド部の端面が絶縁膜で覆われ、従って、絶縁膜上での側面板の下端部への半田の付着を確実に防止できる。
【００３２】
また、カバーは、四角形状の上面板と、この上面板の四辺から下方に折り曲がった側面板とで構成され、側面板の下縁が絶縁膜上に位置した状態で、側面板の下端部が接地ランド部に半田付けされたため、カバーは、四方から目視できて、目視による良否（良品と不良品）の判別が確実にできる。
【００３３】
また、側面板には、回路基板の孔に挿入される脚部が設けられ、脚部の近傍に位置する下縁が絶縁膜上に位置したため、目視による検査時、目視によって検査する位置が明確となって、検査作業がやり易くなる。
【００３４】
また、脚部の根本に位置する側面板には、切り欠き部が設けられ、切り欠き部と隣接する下縁が絶縁膜上に位置したため、切り欠き部によって下縁の端部が目視でき、下縁の状態が一層目視でき易くなる。
【００３５】
また、少なくとも１個の絶縁膜が互いに対向する側面板側、或いは四つの側面板側のそれぞれに位置して設けられたため、カバーは、二方、或いは四方から目視できて、目視による良否（良品と不良品）の判別が確実にできる。
【００３６】
また、接地ランド部の幅部は、高周波回路の周波数の１／１６波長以下の幅寸法で形成されたため、高周波の漏れによる外部への影響が極めて少ないものを提供できる。
【図面の簡単な説明】
【図１】本考案の高周波電子ユニットの正面図。
【図２】本考案の高周波電子ユニットの分解斜視図。
【図３】従来の高周波電子ユニットの正面図。
【図４】従来の高周波電子ユニットの分解斜視図。
【符号の説明】
１　カバー
１ａ　上面板
１ｂ　側面板
１ｃ　下縁
１ｄ　脚部
１ｅ　切り欠き部
２　回路基板
２ａ　孔
３　接地ランド部
４　電子部品
５　配線パターン
６　絶縁膜
７　半田
Ａ　接地ランド部の幅部
Ｂ　絶縁膜の幅部
【図１】
0003097301.tif 000003
【図２】
0003097301.tif 000004
【図３】
0003097301.tif 000005
【図４】
0003097301.tif 000006